(57)【要約】【課題】本発明は介護者の寝返りを補助し褥瘡の防止を図り、また介助者の労力の軽減を図ることを課題とするものである。【解決手段】表皮材１Ｈに防水性シート１Ａを裏面に圧着した表皮材１Ｈに緩衝材２Ａと遠赤外線シート３Ａにより一体化された上部マットＡを二組で構成された傾斜空気槽１Ｂ、２Ｂ及び中央空気槽３Ｂを接合器具１Ｃ、２Ｃにより接合たれた傾斜空気槽により傾動を行うものであり、また接合器具１Ｃ、２Ｃの開閉により上部マットＡと傾斜空気槽１Ｂ、２Ｂ及び中央空気槽３Ｂとの分割が可能な構成になっており、傾斜空気槽１Ｂ、２Ｂと結合された中央空気槽３Ｂの膨張収縮作動は電動式送風機Ｅ等を介し送気管の通気遮断の操作を行い、膨張収縮の作動を行うものである。【選択図】図１
2004313371.tif 000002
【特許請求の範囲】
【請求項１】
防水性と緩衝性を有する長方形の上部マットＡとその下部に設置された膨張収縮可能の左傾斜空気槽１Ｂ及び右傾斜空気槽２Ｂとを連結する中央空気槽３Ｂとを接合器具１ｃ及び２ｃによって接合されユニット化されていることを特長とする介助用褥瘡防止装置である。
【請求項２】
請求項１の上部マットＡは緩衝材２Ａ及び遠赤外線シート３Ａで構成され表面素材１Ｈと裏面には防水性シート１Ａにて圧着さており癒しに効果的な機能を有することを特長とした介助用褥瘡防止装置である。
【発明の詳細な説明】
【０００１】
【発明に属する技術分野】本発明は、傾斜可能マットに係り、特に寝たきり介護者の寝返りを補助したり、褥瘡の発生を防止したりするのに適した装置に関する。
【０００２】
【従来の技術】従来介護者の横臥するマットの下側に左右一体の空気袋を装着して、両空気袋を交互に膨張収縮させることにより、マツトを左右に傾動させるようにした傾動マットが開発さている。一方マット上に横臥する保護者の褥瘡防止のため、マット上にシート状の空気袋を重さねて、このシート状空気袋の上面における微細孔から空気を噴き出すようにしたものも開発されている。
【０００３】
【発明が解決しようとする課題】前述のような従来の傾動マット装置にシート状空気袋を組合わせて用いる場合、マット上面に装着したシート状空気袋の微細孔より発生する噴き出し音が介護者の安眠を妨げるという問題点がある。又上面に上記シート状空気袋を整合させるために重ね合せて固定する操作を必要とし、介助者の手間の増加を招くほか不使用時には傾動マットとシート状空気袋とを個別に収納処理しなければならず、病院、施設等における物品収納のための所要スペース等の問題点もあり、また、マット自体に通気性をもたらした場合、電動式送風機等の長時間稼動はさけられず、それによる稼動経費等の問題点もある。本発明はこれらの問題点の解消を図ろうとするもので、上部マットＡ自体に緩衝材２Ａと遠赤外線シート３Ａを共に装着する事により、介助者の安眠を図り、また、上部マットＡと両傾斜空気槽１Ｂ、２Ｂと、中央空気槽３Ｂとを一体化し、しかもコンパクトな構造を有し介助者の労力の軽減等を図る介助用褥瘡防止装置を提供するものである。
【０００４】
【課題を解決するための手段】前述の目的を達成するため、本発明の介助用褥瘡防止装置は上部マットＡの特徴である防水性、緩衝性を有する素材と遠赤外線シート３Ａを装着した長方形の上部マットＡと同マットを傾動させるべく同マットの下部にそれぞれ接合された膨張収縮可能な左傾斜空気槽１Ｂ及び右傾斜空気槽２Ｂを連結する中央空気槽３Ｂで構成された傾動装置は外周に装着された接合器具１ｃ、２ｃにより接合を図り、また、両傾斜空気槽１Ｂ２Ｂと中央空気槽３Ｂとの接合は、接合器具１ｄ、２ｄで接合しユニット化を図った装置である。又、本装置の上部マットは、上記のように気密性を有し噴き出し音は発生せず、介護者の安眠を妨げることはない。通気性に対する問題点は本装置の特長である遠赤外線シート３Ａの装着による相乗効果で介護者等の褥瘡防止を図り身体の癒しに貢献する介助用褥瘡防止装置である。
【０００５】
【発明の実施形態】上述の本発明の介助用褥瘡防止装置では、上部マットＡと両傾斜空気槽１Ｂ、２Ｂと中央空気槽３Ｂとで一体化され、装置がコンパクトになり設置準備動作が簡単に行はれ、両傾斜空気槽１Ｂ、２Ｂの膨張収縮により介護者の褥瘡発生を防止する作用を行う。又上部マットＡは表面素材１Ｈと防水性素材１Ａ、緩衝材２Ａ、遠赤外線シート３Ａで構成され、その上部マットＡは接合器具１ｃ、２ｃの操作により両傾斜空気槽１Ｂ、２Ｂと分割され上部マットＡの表面清掃及び、日光消毒等衛生管理面からも寄与できる介助用褥瘡防止装置である。
【０００６】
【実施例】以下図面により本発明の実施例について説明すると、図１、２は本発明の第１実施例としての送気式傾斜空気槽の装置を示すもので、図１はその平面図で、図２は図１のＡ−Ａ矢視断面図である。図１、２で示すように介護者等が横臥せするための長方形の上部マットＡと、その下部に装着された膨張収縮可能の左傾斜空気槽１Ｂと、右傾斜空気槽２Ｂとを中央空気槽３Ｂで連結されたものを外周に装着された接合器具１ｃ、２ｃにより接合されており、その接合器具１ｃ、２ｃを介して分割可能な装置となっている。
【０００７】
それぞれ傾斜空気槽１Ｂ、２Ｂと連結されている中央空気槽３Ｂへの送気は電動式送風気等を含む送気装置Ｅより送気管１ＡＰ、２ＡＰ、３ＡＰを介し、タイマーＴ１、Ｔ２及び電磁弁Ｓ１、Ｓ２の制御により交互に送気が行われるようになっており、一方の傾斜空気槽１Ｂ（又は２Ｂ）への送気が行われる際には、他方２Ｂ（又は１Ｂ）から排気弁Ｖ１、（又はＶ２）を介し排気が行われる。このようにして左傾斜空気槽１Ｂ及び右傾斜空気槽２Ｂを交互に膨張収縮させることにより、上部マットＡの傾動が交互に行われ、タイマーＴ１、Ｔ２の時間設定により定時的に左右交互に傾動する。
【０００８】
上部マットＡにおいて、その表面素材１Ｈは耐圧性の繊維を用い裏面の防水シート１Ａを圧着し内部は緩衝材２Ａとその上面に遠赤外線のシート３Ａを装着上部マットＡである。
【０００９】
左傾斜空気槽１Ｂ、右傾斜空気槽２Ｂ、中央空気槽３Ｂへの送気のための制御装置はＴ１、Ｔ２Ｓ１、Ｓ２、Ｖ１、Ｖ２で構成され、Ｔ１、Ｓ１、Ｖ１は、送気管１ＡＰに装着し左傾斜空気槽の制御を行いＴ２、Ｓ２、Ｖ２は送気管２ＡＰに装着し右傾斜空気槽の制御を行い、送気管３ＡＰは中央空気槽に装着する。Ｖ１、Ｖ２はそれぞれ傾斜空気槽の排気弁である。自動的に開閉制御されるがその開閉の態様は次の表１のように制御される。
【表１】
2004313371.tif 000003
【００１０】
介助用褥防止装置では、両傾斜空気槽１Ｂ、２Ｂを連結する中央空気槽３Ｂは不使用の場合、図２で示すように両傾斜空気槽１Ｂ、２Ｂの固定化及び上部マットＡの安定化を図る装置である。
【００１１】
図３、４、５は本発明の第２実施例としての介助用褥瘡防止装置を示すもので、図３はその平面図、図４、５は図３のＢ−Ｂ断面図である。図４は左傾斜空気槽の作動を示し、図５は右傾斜空気槽の作動を示す図である。膨張収縮可能な左右両傾斜空気槽１Ｂ、２Ｂは気密性のシートで構成されている中央空気槽３Ｂにより連結されている。
【００１２】
本発明装置の自動制御は電動式送風機Ｅ等から送気管１ＡＰ、２ＡＰ、３ＡＰを介して左右両傾斜空気槽１Ｂ、２Ｂ及び中央空気槽３Ｂに装着され、送気管１ＡＰは、Ｔ１、Ｓ１を介し左傾斜空気槽に接続し、２ＡＰはＴ２、Ｓ２を介し右傾斜空気槽２Ｂへ接続し、３ＡＰは中央空気槽に接続されている。又、排気弁Ｖ１は左傾斜空気槽に装着し、Ｖ２は右傾斜空気槽に装着する。
【００１３】
左傾斜空気槽１Ｂ、右傾斜空気槽２Ｂ及び中央空気槽３Ｂへの送気のための制御装置Ｔ１、Ｔ２Ｓ１、Ｓ２及びＶ１、Ｖ２の開閉制御装置は前述の第１実施例の場合と同様に行われる。本発明の第２実施例としての介助用褥瘡防止装置は、上記のように構成されているので前述の第１実施例と同様の作用効果が得られる。
【００１４】
【発明の効果】本発明の介助用褥瘡防止装置は次のような効果ないし利点がえられる。
本装置は、上部マットＡと左右両傾斜空気槽１Ｂ、２Ｂ及び中央空気槽３Ｂとを接合し、一体化を図り介助者の労力の軽減を図る。
本装置の特長は、上部マットＡに遠赤外線シートを装着し、その遠赤外線の相乗効果により褥瘡の発生防止を図ると共に、脱臭性、保温性を有しベット周辺の環境面と衛生面にも貢献する。本装置は、騒音の発生源である通気孔装置は装着しておらず、介護者等の騒音による安眠等の妨げになることはない。
本装置は、上部マットＡとその下部に接合された１Ｂ、２Ｂ、３Ｂの各空気槽とが分離され上部マットＡの保守管理が簡単に行える。
【図面の簡単な説明】
【図１】本発明の第１実施例としての、介助用褥瘡防止を示す平面図である。
【図２】図１のＡ−Ａ矢視断面図である。
【図３】本発明の第２実施例としての、介助用褥瘡防止装置を示す平面図である。
【図４】図３のＢ−Ｂ断面図である。
【図５】図３のＢ−Ｂ断面図である。
【符号の説明】
Ａ            上部マット本体
１Ｈ            表皮材
１Ａ            防水性シート
２Ａ            緩衝材
３Ａ            遠赤外線シート
１Ｂ            左傾斜空気槽
２Ｂ            右傾斜空気槽
３Ｂ            中央空気槽
１ｃ            接合器具
２ｃ            接合器具
１ｄ            接合器具
２ｄ            接合器具
Ｅ            電動式送気装置
１ＡＰ          送気管
２ＡＰ          送気管
３ＡＰ          送気管
１ａ    １ｂ        接続バルブ
２ａ    ２ｂ        接続バルブ
３ａ    ３ｂ        接続バルブ
Ｔ１    Ｔ２        タイマー
【図１】
2004313371.tif 000004
【図２】
2004313371.tif 000005
【図３】
2004313371.tif 000006
【図４】
2004313371.tif 000007
【図５】
2004313371.tif 000008